(57)【要約】      （修正有）【課題】組立作業が容易で、延線工事完了後には分解して再利用可能な電線引き留めアンカーを提供する。【解決手段】送電線の延線工事の際にドラム場に設置される電線引き留めアンカーにおいて、厚鋼板からなる底板に間隔をおいて形鋼からなる複数の下部梁が間隔をおいて固定され、各下部梁の両端に形鋼からなる支柱が立設され、立設された支柱を取り囲んで支柱に側板が矩形状に固定されて直方体の箱枠が形成され、該箱枠の空間に所定量の複数枚の厚鋼板からなる重錘用板が積載され、箱枠の上部が厚鉄板からなる天板１９で覆われ、該天板１９に、下部梁に対応して形鋼からなる上部梁２０が固定され、各上部梁の両端に、電線を掛けて引き留めるアンカー金具２１が固定され、底板、側板、天板、下部梁、上部梁、柱及びアンカー金具がボルトナットにより分解可能に接合され、上部梁、下部梁及び支柱がＨ形鋼からなる。【選択図】図６
0003167297.tif 000002
【実用新案登録請求の範囲】
【請求項１】
送電線の延線工事の際にドラム場に設置される電線引き留めアンカーにおいて、
厚鋼板からなる底板に間隔をおいて形鋼からなる複数の下部梁が間隔をおいて固定され、
各下部梁の両端に形鋼からなる支柱が立設され、
立設された支柱を取り囲んで支柱に側板が矩形状に固定されて直方体の箱枠が形成され、
箱枠の空間に所定量の複数枚の厚鋼板からなる重錘用板が積載され、
箱枠の上部が厚鉄板からなる天板で覆われ、
天板に、下部梁に対応して形鋼からなる上部梁が固定され、
各上部梁の両端に、電線を掛けて引き留めるアンカー金具が固定され、
底板、側板、天板、下部梁、上部梁、柱及びアンカー金具がボルトナットにより分解可能に接合されていることを特徴とする架線工事用の電線引き留めアンカー。
【請求項２】
上部梁、下部梁及び支柱がＨ形鋼からなることを特徴とする請求項１に記載の架線工事用の電線引き留めアンカー。
【考案の詳細な説明】
【技術分野】
【０００１】
本考案は、送電鉄塔間の電線延線工事において、ドラム場に設置され、延線後に延線車から移される電線を引き留める電線引き留めアンカーに関し、特に、組立作業が容易であるとともに、延線工事完了後には分解して再利用可能な電線引き留めアンカーに関する。
【背景技術】
【０００２】
送電鉄塔の間に電線を延線するためには、延線する電線に接続するために延線ロープ、次いで延線ワイヤを張設することが必要となる。そのため、図７に示すように、延線区間の一方をエンジン場とし、反対側をドラム場として、エンジン場には架線ウインチ３０とリールワインダ３１を設置し、ドラム場には、電線ドラム３２、延線車３３を配置する。各鉄塔３４の腕金またはアーム部には、延線ロープ、延線ワイヤあるいは送電線を案内するための金車３５を吊り下げる。
【０００３】
延線工事は、まず、図８に示すように、ヘリコプター３６により樹脂製の軽い延線ロープ３７をドラム場から各鉄塔３４を経由してエンジン場まで延線し、延線された延線ロープ３７を鉄塔３４の金車３５に掛けながら掛け渡す。通常、２本の延線ロープがドラム場からエンジン場までつながるように延線を行う。なお、図８において、３８は電線引き留めアンカーである。
【０００４】
延線ロープは電線が引けるまでの強度がないので、延線ロープに、この延線ロープより強度のある鋼製の延線ワイヤをドラム場で接続し、ドラムから繰り出してゆきエンジン場で架線ウインチを経てリールワインダに巻き取っていく。この作業を繰り返して電線が引けるまでの所定の強度を有する延線ワイヤに引き替えていく。
【０００５】
こうして、図９に示すように、電線が引ける所定の強度を有する複数本の延線ワイヤ３９の張設が完了した後、張設した延線ワイヤ３９の終端に送電線ドラムから繰り出して延線車３３を通した送電線４０を接続する。その後、延線車３３によりバックテンションをかけながらエンジン場の架線ウインチ３０で延線ワイヤ３９を巻き取ることによって、ドラム場からエンジン場まで各鉄塔間に送電線４０の延線を行う（特許文献１参照）。
【０００６】
図１０に示すように、延線した送電線４０は、エンジン場側の鉄塔３４でがいし留めを行い、ドラム場の延線車３３で弛んでいる電線４０をやや緊張させるための仮上げを行う。仮上げ後、電線４０を延線車３３からコンクリートブロック製の電線引き留めアンカー３８に移線を行なって引き留め、次の延線に備えて延線車３３を空けていく。
【０００７】
図１１に示す電線の引き留めに使用するコンクリートブロック製の電線引き留めアンカー３８は、コンクリートの現場打ちにより形成されていた。従来のコンクリートブロックからなる電線引留アンカー３８は、例えば、約７０トン程度の大きい容積のものであった。
【０００８】
電線引き留めアンカー３８は、まず、ドラム場側の地上にコンクリートブロックを埋め込むための穴を形成する。この穴内に鉄骨を組み立てる。鉄骨には電線を引っかけて固定するためのアンカー金具４１が固定される。鉄骨の組立が完了すると、鉄骨をコンクリート型枠で取り囲み、型枠内にコンクリートを流し込み、固化後に型枠を除去し、一定期間養生した後に使用する。
【先行技術文献】
【特許文献】
【０００９】
【特許文献１】特開２００８−２３６９５２号公報
【考案の概要】
【考案が解決しようとする課題】
【００１０】
従来のコンクリートブロックからなる電線引留アンカーは、鉄骨組立作業、型枠作業、コンクリート打ち込み作業等施工に長い時間と多くの労力を必要としていた。
【００１１】
また、コンクリートブロック製の電線引き留めアンカーは重量があるために持ち運びが不可能であるので、繰り返し使用できるものではない。そこで、使用後はコンクリートブロックを解体して撤去する必要があった。したがって、従来のコンクリートブロック製の電線引き留めアンカーは、コストが高くつくだけでなく、撤去時には産業廃棄物（コンクリート殻）も発生し、その処理にも手間がかかるという問題もあった。
【００１２】
また、コンクリートブロック設置時に、場所によっては、工事用地交渉に問題が生じることもあった。
【００１３】
そこで、本考案は、送電線の延線工事の際にドラム場に設置される電線引き留めアンカーにおいて、組立作業が容易で、延線工事完了後には分解して再利用可能な電線引き留めアンカーを提供するものである。
【課題を解決するための手段】
【００１４】
本考案は、送電線の延線工事の際にドラム場に設置される電線引き留めアンカーにおいて、厚鋼板からなる底板に間隔をおいて形鋼からなる複数の下部梁が間隔をおいて固定され、各下部梁の両端に形鋼からなる支柱が立設され、立設された支柱を取り囲んで支柱に側板が矩形状に固定されて直方体の箱枠が形成され、箱枠の空間に所定量の複数枚の厚鋼板からなる重錘用板が積載され、箱枠の上部が厚鉄板からなる天板で覆われ、天板に、下部梁に対応して形鋼からなる上部梁が固定され、各上部梁の両端に、電線を掛けて引き留めるアンカー金具が固定され、底板、側板、天板、下部梁、上部梁、柱及びアンカー金具がボルトナットにより分解可能に接合されていることを特徴とする。
【００１５】
前記構成において、上部梁、下部梁及び支柱がＨ形鋼からなることを特徴とする。
【考案の効果】
【００１６】
（１）本考案による延線工事用の電線引き留めアンカーにより、次の作用効果を奏する。  
本考案による延線工事用の電線引き留めアンカーは、厚鋼板とＨ形鋼等の形鋼をボルトナットで組立、分解できるので、従来の現場打ちコンクリートブロック製の電線引き留めアンカーと施工日数の比較を行った結果、コンクリート破砕作業日数分の工事期間の短縮が可能であった。
【００１７】
（２）本考案による延線工事用の電線引き留めアンカーは、従来の現場打ちコンクリートブロック製の電線引き留めアンカーと施工費の比較を行った結果、初回製作費を除けば、従来のアンカーに係る費用の約半分の施工費であった。
【００１８】
（３）本考案による延線工事用の電線引き留めアンカーは、厚鋼板とＨ形鋼等の形鋼をボルトナットで接合する構造となっているので、産業廃棄物を発生させることなく分解して撤去することが可能である。
【００１９】
（４）本考案による延線工事用の電線引き留めアンカーは、ボルトナットによる組立式なので、延線工事完了後は、分解して繰り返し使用が可能となる。
【００２０】
（５）本考案による延線工事用の電線引き留めアンカーは、厚鋼板とＨ形鋼等の形鋼をボルトナットで組立、分解するものであるから、コンクリートブロックに起因する環境面（解体の際の騒音、化学物質汚染などの環境面での問題も生じないため、田畑でも使用可能で用地的問題も解消できる。
【００２１】
（６）本考案による延線工事用の電線引き留めアンカーは、ブロックの引揚耐力・水平耐力及び各部材強度は、最大引張り荷重及び引留め仰角によって、箱枠内に積層する鋼板枚数を変えて容易に調整することが可能となる。
【図面の簡単な説明】
【００２２】
【図１】本考案の電線引留アンカーの底板と下部梁の配置を示し、（ａ）は上面側の斜視図、（ｂ）は下面側の斜視図である。
【図２】本考案の電線引留アンカーの下部梁と四隅の支柱の配置を示す上面斜視図である。
【図３】本考案の電線引留アンカーの下部梁と支柱の配置を示す上面斜視図である。
【図４】本考案の電線引留アンカーの支柱の接合プレートに形成するボルトの配置を示す上面斜視図及び拡大図である。
【図５】本考案の電線引留アンカーの支柱を取り囲んで側板が固定された状態を示す斜視図である。
【図６】箱枠の上部に上部梁を固定した天板で覆い、アンカー金具を取り付けた本考案の電線引留アンカーの全体を示す斜視図である。
【図７】鉄塔に送電線を延線する延線工事の説明図である。
【図８】ヘリコプターによる延線ロープの延線の説明図である。
【図９】電線の延線工程の説明図である。
【図１０】アンカーへの電線のアンカーへの引き留めの説明図である。
【図１１】従来のコンクリートブロック製の電線引留アンカーの概略を示す斜視図である。
【考案を実施するための形態】
【００２３】
図１〜図８を参照しながら、本考案の延線工事用の電線引き留めアンカーの実施例について説明する。
【実施例１】
【００２４】
本考案の延線工事用の電線引き留めアンカーは、厚鋼板からなる底板、天板、側板及び重錘用板と、Ｈ形鋼等の形鋼からなる下部梁、上部梁及び支柱をボルトナットで接合して容易に組み立てることができる。本考案による電線引き留めアンカーは、例えば、横約３．６ｍ、幅約３ｍ、高さ約２．３ｍの直方体のブロックで、重量が重錘用板を含めて約５０ｔに組み立てられる。
【００２５】
図１において、厚鋼板からなる底板１の表面に一定の間隔をおいて平行かつ水平にＨ形鋼からなる下部梁２が配置される。底板１と下部梁２は、底板１に形成されたボルト孔３と下部梁２のフランジ４に形成されたボルト孔５にボルトを通してナットで締め付けて固定する（ボルトナットは図示せず。）。ボルトは、底板をスペーサ（図示せず）で地上から浮かせた状態にして下側からボルトを通してナットで締め付ける。なお、図１においては、底板１は、２枚の厚鋼板を突き合わせ、突き合わせ部分に継手板６を当て、ボルトナットにより接続している。
【００２６】
なお、電線引き留めアンカーは上面を除いて地中に埋められるので、下部梁２が固定された底板１は、ドラム場に予め掘られている作業穴にクレーンにより降ろされ、以後の作業は作業穴で行われる。
【００２７】
図２において、底板１の両側に配置されたＨ形鋼からなる各下部梁２の両端、すなわち四隅には、Ｈ形鋼からなる支柱７が立設される。支柱７の上下の端部には、ウエブ８とフランジ９に直交する接合プレート１０がそれぞれ固定される。接合プレート１０は支柱７の一方のフランジ側には下部梁２に支持される梁支持部１１が形成されている。また、支柱７には後述する側板１７（図５）に固定する側板固定部材１２が設けられている。支柱７の下部に固定した接合プレート１０と下部梁２のフランジ４とは、下部梁２のボルト穴１３（図１）と接合プレート１０のボルト穴１４にボルトを通してナットで締め付けて固定される。
【００２８】
図３に示すように、図２に示す底板１の両側に配置された下部梁２以外の他の各下部梁２についても、その両端にＨ形鋼からなる支柱７が立設される。支柱７の下部に固定した接合プレート１０と下部梁２のフランジ４とは、それぞれに設けられたボルト穴にボルトを通してナットで締め付けて固定される。
【００２９】
図４において、支柱７の上部に固定された接合プレート１０のボルト孔１４（図２、図３）にボルト１５を通してナット１６で固定して後述する上部梁２０（図６）を止めるボルトを設ける。これは、上部梁２０を後述する天板１９（図６）の上に載せて固定するために予めボルト１５を設けておく必要があるからである。
【００３０】
図５において、立設された両側の支柱７を取り囲んで矩形状に厚鋼板からなる側板１７が支柱７に固定される。側板１７と支柱７は、側板１７及び、支柱７のフランジ９及び側板固定部材１２のそれぞれに設けられたボルト穴にボルトを通してナットで締め付けて固定される。なお、大きい側板１７の場合は、２枚の厚鋼板を突き合わせ、突き合わせ部分に継手板６を当て、ボルトナットにより接続している。
【００３１】
こうして、底板１、下部梁２、支柱７、側板１７で形成された直方体の箱枠１８の両側に立設された支柱７の間の空間に重錘として所定量の複数枚の厚鋼板からなる重錘用板（図示せず）を重ねて積載する。
【００３２】
図６において、図５に示す箱枠１８の上部を覆う厚鋼板からなる天板１９に上部梁２０を固定して準備する。天板１９と上部梁２０は、天板１９に形成されたボルト孔と上部梁２０のフランジに形成されたボルト孔に、下側からボルトを通してナットで締め付けて固定される。こうして組み立てた上部梁２０を固定した天板１９を箱枠１８の上に載せて覆い、支柱７の上部に固定した接合プレート１０のボルト１５を通してナットで固定する。
【００３３】
次いで、上部梁２０の両端には、電線を架けて固定する孔を有するアンカー金具２１が固定される。各上部梁２０のフランジとアンカー金具にそれぞれ形成されたボルト穴にボルトを通してナットで締め付けて固定されている。
【００３４】
こうして組立が完了すると、作業穴を埋め戻すことにより電線引き留めアンカーが完成する。
【００３５】
延線工事完了後は、前記組立手順と逆の手順によりナットをボルトから外し、アンカー金具、底板、天板、側板及び重錘用板、下部梁、上部梁、支柱を分解して解体することにより撤去することができる。
【符号の説明】
【００３６】
１：底板                ２：下部梁
３：ボルト孔            ４：フランジ
５：ボルト孔            ６：継手板
７：支柱                ８：ウエブ
９：フランジ          １０：接合プレート
１１：梁支持部          １２：側板固定部材
１３：ボルト穴          １４：ボルト穴
１５：ボルト            １６：ナット
１７：側板              １８：箱枠
１９：天板              ２０：上部梁
２１：アンカー金具    
３０：架線ウインチ      ３１：リールワインダ
３２：電線ドラム        ３３：延線車
３４：鉄塔              ３５：金車
３６：ヘリコプター      ３７：延線ロープ
３８：アンカー          ３９：延線ワイヤ
４０：電線              ４１：アンカー金具
【図１】
0003167297.tif 000003
【図２】
0003167297.tif 000004
【図３】
0003167297.tif 000005
【図４】
0003167297.tif 000006
【図５】
0003167297.tif 000007
【図６】
0003167297.tif 000008
【図７】
0003167297.tif 000009
【図８】
0003167297.tif 000010
【図９】
0003167297.tif 000011
【図１０】
0003167297.tif 000012
【図１１】
0003167297.tif 000013